【手続補正書】
【提出日】平成24年9月21日(2012.9.21)
【手続補正１】
【補正対象書類名】明細書
【補正対象項目名】０００７
【補正方法】変更
【補正の内容】
【０００７】
すなわち、ゲートスキャンとＲＡＭへの書き出しとを同時にした場合について説明すると、１ラインの画像データの読み出し時は、図８（ａ）に示すように、１ライン中に前の画像データ成分ＤＯ１と次の画像データ成分ＤＮ１とが混在する。２ラインの画像データの読み出し時は、図８（ｂ）に示すように、１ライン中に前の画像データ成分ＤＯ２と次の画像データの成分ＤＮ２とが混在し、３ラインの画像データの読み出し時は、図８（ｃ）に示すように、１ライン中に前の画像データの成分ＤＯ３と次の画像データの成分ＤＮ３とが混在し、４ラインの画像データの読み出し時は、図８（ｄ）に示すように、１ライン中に前の画像データの成分ＤＯ４と次の画像データの成分ＤＮ４とが混在する。
【手続補正２】
【補正対象書類名】明細書
【補正対象項目名】００１０
【補正方法】変更
【補正の内容】
【００１０】
前記課題を解決するため、本発明の表示装置の一態様は、所定方向に長尺なアスペクト比を有する表示画面部と、前記表示画面部に対応する記憶領域を有し、画像を表す画像データを記憶する記憶部と、前記記憶部に書き込まれた前記画像データを１行ずつ前記表示画面部に転送する転送部と、前記転送部により転送された前記画像データに基づき、前記表示画面部を表示駆動する駆動部と、前記転送部が１行の前記画像データを転送する毎に、次に前記表示画面部に表示すべき画像を表す次画像データを、前記転送される行に到達しない最大行数以下であって１列毎に、前記記憶部に書き込む書込手段と、を備える、ことを特徴とする。
【手続補正３】
【補正対象書類名】明細書
【補正対象項目名】００１１
【補正方法】変更
【補正の内容】
【００１１】
前記課題を解決するため、本発明の画像表示方法の一態様は、所定方向に長尺なアスペクト比を有する表示画面部と、前記表示画面部に対応する記憶領域を有し、画像を表す画像データを記憶する記憶部と、を備える表示装置における画像表示方法であって、前記記憶部に書き込まれた前記画像データを１行ずつ前記表示画面部に転送し、前記転送された前記画像データに基づき、前記表示画面部を表示駆動し、前記１行の前記画像データが転送される毎に、次に前記表示画面部に表示すべき画像を表す次画像データを、前記転送される行に到達しない最大行数以下であって１列毎に、前記記憶部に書き込む、ことを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２０
【補正方法】変更
【補正の内容】
【００２０】
すなわち、液晶表示画面部２は、対向するガラス基板と、カラーフィルタと、バックライトと、を主に具備し、その一方のガラス基板上の水平方向に走査線（ゲート線）が、垂直方向にデータ線が、それぞれ配列され、ゲート線とデータ線との交点に該当する位置に個々の画素電極が配置され、他方のガラス基板に共通電極とカラーフィルタとが形成されている。ガラス基板間には液晶が充填され、ゲート線及びデータ線から供給される信号（電圧）に応じて画素電極と共通電極との間の液晶の配列を変化させ、バックライトから入射される光の透過量を制御する。また、他方のガラス基板には、赤（Ｒ）、緑（Ｇ）、青（Ｂ）のカラーフィルターが配置され、各画素を透過する光量に応じた色の濃淡を示し、その組み合わせによって、様々な色合いの表示を実現する。
【手続補正９】
【補正対象書類名】明細書
【補正対象項目名】００２２
【補正方法】変更
【補正の内容】
【００２２】
図２は、液晶表示画面２すなわちＴＦＴ−ＬＣＤの基本構成を示す回路図である。ゲート線１０とデータ線１１との交点に該当する位置に、ＴＦＴ１２と、ＴＦＴのドレイン電極Ｄに接続された画素電極と、共通電極１３に挟まれた液晶からなる画素容量１４、及び絶縁膜を介して共通電極１３に接続された補助容量電極からなる補助容量１５が配置され、ゲート線１０はＴＦＴ１２のゲート電極Ｇに接続され、データ線１１はＴＦＴ１２のソース電極Ｓに接続される。ゲート線１０に順次パルス電圧（走査信号）を印加すると、これに接続されるＴＦＴ１２のゲート電極Ｇに電圧がかかり、ＴＦＴ１２のソース電極Ｓとドレイン電極Ｄとの間にチャネルが形成される。同時に、データ線１１から信号電圧が印加されると、ＴＦＴ１２のソース・ドレイン間に電流が流れ、画素容量１４及び補助容量１５に電荷が蓄積される。１ラインの走査が終了し、ＴＦＴ１２のゲートにかかる電圧が中断されると、ＴＦＴ１２がオフ状態となり、ソース・ドレイン間の電流の流れが止まり、画素容量１４及び補助容量１５に電荷が保持される。画素電極と共通電極とに挟まれた液晶には、画素容量１４に充電された電荷により電圧が印加されて配列を変化させることとなる。このように、ＴＦＴ−ＬＣＤでは、ＴＦＴがスイッチング素子となって、画素にかかる電圧を制御する。
【手続補正１０】
【補正対象書類名】明細書
【補正対象項目名】００２５
【補正方法】変更
【補正の内容】
【００２５】
ＲＡＭ５は、液晶表示画面部２の各画素に対応する記憶領域を有し、データＩ／Ｏ６から入力される表示データ信号をＴＧ回路７により指定されるアドレスに書き込み、また、ＴＧ回路７から指定されるアドレスの表示データ信号を読み出して、ソースドライバ４に出力する。なお、ＲＡＭ５は、例えば、液晶表示画面部２が１３２×１７６のドット数（１ドット＝赤・緑・青の３画素分）を有する場合には、例えば、１３２×１７６×１６（ビット）の記憶容量を有する。１６ビットの内訳は、赤と青とがそれぞれ５ビット、緑が６ビットである。すなわち、赤と青とについては、２５階調まで表現を可能とし、緑については、２６階調までの表現を可能としている。
【手続補正１１】
【補正対象書類名】特許請求の範囲
【補正対象項目名】全文
【補正方法】変更
【補正の内容】
【特許請求の範囲】
【請求項１】
所定方向に長尺なアスペクト比を有する表示画面部と、
前記表示画面部に対応する記憶領域を有し、画像を表す画像データを記憶する記憶部と、
前記記憶部に書き込まれた前記画像データを１行ずつ前記表示画面部に転送する転送部と、
前記転送部により転送された前記画像データに基づき、前記表示画面部を表示駆動する駆動部と、
前記転送部が１行の前記画像データを転送する毎に、次に前記表示画面部に表示すべき画像を表す次画像データを、前記転送される行に到達しない最大行数以下であって１列毎に、前記記憶部に書き込む書込手段と、
を備える、
ことを特徴とする表示装置。
【請求項２】
前記書込手段は、前記記憶部の前記転送部が転送を終了した前記画像データが記憶されている領域に、前記次画像データを順次書き込むことを特徴とする請求項１記載の表示装置。
【請求項３】
前記書込手段は、前記次画像データを、前記転送される行に到達しない最大行数で、前記記憶部に書き込むことを特徴とする請求項１又は２記載の表示装置。
【請求項４】
前記書込手段は、前記転送部が前記画像データの最終行の転送を終了するまでに前記記憶部に書き込んでいない前記次画像データの残存分に関しては、前記転送部が前記画像データの最終行の転送を行った後において、書き込むことを特徴とする請求項１、２又は３記載の表示装置。
【請求項５】
前記所定方向とは縦方向であることを特徴とする請求項１から４にいずれか記載の表示装置。
【請求項６】
所定方向に長尺なアスペクト比を有する表示画面部と、前記表示画面部に対応する記憶領域を有し、画像を表す画像データを記憶する記憶部と、を備える表示装置における画像表示方法であって、
前記記憶部に書き込まれた前記画像データを１行ずつ前記表示画面部に転送し、
前記転送された前記画像データに基づき、前記表示画面部を表示駆動し、
前記１行の前記画像データが転送される毎に、次に前記表示画面部に表示すべき画像を表す次画像データを、前記転送される行に到達しない最大行数以下であって１列毎に、前記記憶部に書き込む、
ことを特徴とする画像表示方法。